(57)【要約】【課題】光ファイバの特性評価を低コストで行う。【解決手段】光トランシーバー１のＤＳＰ１１は、送信データを設定した送信信号の生成と、伝送路測定用の検査信号の生成とを切り替えて行う。ＩＱＭ１３は、ＤＳＰ１１が生成した送信信号又は検査信号を電気信号から光信号に変調する。サーキュレータ１４は、ＩＱＭ１３から入力した光信号を伝送路へ出力し、伝送路からの反射光を入力してＳＷ１５に出力する。ＳＷ１５は、伝送路を介して他の機器から受信した光信号である光受信信号と、サーキュレータ１４が出力した反射光とのいずれか出力するかを切り替える。ＩＣＲ１６は、ＳＷ１５が出力した光受信信号又は反射光を電気信号に変換する。ＤＳＰ１１は、電気信号に変換された光受信信号の受信処理と、電気信号に変換された反射光を用いて伝送路に関する測定を行う測定処理とを切り替えて実行する。【選択図】図１
2019106684.tif 000002
【特許請求の範囲】
【請求項１】
送信データを設定した送信信号の生成と、伝送路測定用の検査信号の生成とを切り替えて行う信号生成部と、
前記送信信号又は前記検査信号を電気信号から光信号に変調する変調部と、
他の機器から受信した光信号である光受信信号と、変調された前記検査信号が出力された伝送路からの反射光とのいずれを出力するかを切り替える切替部と、
前記切替部が出力した前記光受信信号又は前記反射光を電気信号に変換する変換部と、
電気信号に変換された前記光受信信号の受信処理と、電気信号に変換された前記反射光を用いて伝送路に関する測定を行う測定処理とを切り替えて実行する受信処理部と、
を備える光送受信器。
【請求項２】
トランシーバーモードにおいて、
前記信号生成部は、前記送信信号を生成し、
前記切替部は、前記光受信信号を出力し、
前記受信処理部は、前記受信処理を行い、
測定モードにおいて、
前記信号生成部は、前記検査信号を生成し、
前記切替部は、前記反射光を出力し、
前記受信処理部は、前記測定処理を行う、
請求項１に記載の光送受信器。
【請求項３】
制御信号を受信して、前記トランシーバーモードと前記測定モードとを切り替える、
請求項２に記載の光送受信器。
【請求項４】
前記検査信号は、パルス信号又は既知信号系列を含む信号である、
請求項１から請求項３のいずれか一項に記載の光送受信器。
【請求項５】
請求項１から請求項４のいずれかに記載の光送受信器である１以上の第一の光送受信器と、
光信号を送受信する１以上の第二の光送受信器と、
前記第一の光送受信器及び前記第二の光送受信器のそれぞれから出力された波長の異なる光信号を合波した波長多重信号を出力する処理と、波長多重された光信号を受信し、受信した前記光信号を分波して前記第一の光送受信器及び前記第二の光送受信器に出力する合分波器とを備える、
光通信システム。
【請求項６】
前記第一の光送受信器は、所定の波長について又は波長を変更しながら伝送路に関する測定を行う、
請求項５に記載の光通信システム。
【発明の詳細な説明】
【技術分野】
【０００１】
本発明は、光送受信器及び光通信システムに関する。
【背景技術】
【０００２】
光通信システムの運用中になんらかの原因で光ファイバの特性が悪化した場合、原因の特定にＯＴＤＲ（Optical Time Domain Reflectometer）装置（例えば、特許文献１参照）が用いられる。ＯＴＤＲにより、いずれの地点で破断や曲げ等が生じているかを調べることができる。
【先行技術文献】
【特許文献】
【０００３】
【特許文献１】特許第５９４１８７７号公報
【発明の概要】
【発明が解決しようとする課題】
【０００４】
しかしながら、ＯＴＤＲを用いて該当ファイバの特性評価を行うためには、専用の装置を準備するための装置準備コストがかかる上に、運用中の光ファイバに装置を人手で接続するための人員コストが必要であるという問題があった。
【０００５】
上記事情に鑑み、本発明は、光ファイバの特性評価を低コストで行うことができる光送受信器及び光通信システムを提供することを目的としている。
【課題を解決するための手段】
【０００６】
本発明の一態様は、送信データを設定した送信信号の生成と、伝送路測定用の検査信号の生成とを切り替えて行う信号生成部と、前記送信信号又は前記検査信号を電気信号から光信号に変調する変調部と、他の機器から受信した光信号である光受信信号と、変調された前記検査信号が出力された伝送路からの反射光とのいずれを出力するかを切り替える切替部と、前記切替部が出力した前記光受信信号又は前記反射光を電気信号に変換する変換部と、電気信号に変換された前記光受信信号の受信処理と、電気信号に変換された前記反射光を用いて伝送路に関する測定を行う測定処理とを切り替えて実行する受信処理部と、を備える光送受信器である。
【０００７】
本発明の一態様は、上述の光送受信器であって、トランシーバーモードにおいて、前記信号生成部は、前記送信信号を生成し、前記切替部は、前記光受信信号を出力し、前記受信処理部は、前記受信処理を行い、測定モードにおいて、前記信号生成部は、前記検査信号を生成し、前記切替部は、前記反射光を出力し、前記受信処理部は、前記測定処理を行う。
【０００８】
本発明の一態様は、上述の光送受信器であって、制御信号を受信して、前記トランシーバーモードと前記測定モードとを切り替える。
【０００９】
本発明の一態様は、上述の光送受信器であって、前記検査信号は、パルス信号又は既知信号系列を含む信号である。
【００１０】
本発明の一態様は、上述の何れかの光送受信器である１以上の第一の光送受信器と、光信号を送受信する１以上の第二の光送受信器と、前記第一の光送受信器及び前記第二の光送受信器のそれぞれから出力された波長の異なる光信号を合波した波長多重信号を出力する処理と、波長多重された光信号を受信し、受信した前記光信号を分波して前記第一の光送受信器及び前記第二の光送受信器に出力する合分波器とを備える、光通信システムである。
【００１１】
本発明の一態様は、上述の光通信システムであって、前記第一の光送受信器は、所定の波長について又は波長を変更しながら伝送路に関する測定を行う。
【発明の効果】
【００１２】
本発明により、光ファイバの特性評価を低コストで行うことが可能となる。
【図面の簡単な説明】
【００１３】
【図１】本発明の一実施形態による光トランシーバーの構成を示す機能ブロック図である。
【図２】同実施形態による光トランシーバーの他の構成を示す機能ブロック図である。
【図３】同実施形態による光トランシーバーのさらに他の構成を示す機能ブロック図である。
【図４】同実施形態によるパルスの検査信号を示す図である。
【図５】同実施形態による既知信号系列の検査信号を示す図である。
【図６】同実施形態によるパルスの検査信号の調整方法を示す図である。
【図７】同実施形態による既知信号系列の検査信号の調整方法を示す図である。
【図８】同実施形態による光トランシーバーのＷＤＭへの適用例を示す図である。
【図９】同実施形態による光トランシーバーのＷＤＭへの他の適用例を示す図である。
【発明を実施するための形態】
【００１４】
以下、図面を参照しながら本発明の実施形態を詳細に説明する。
本実施形態では、デジタルコヒーレント光伝送で用いられる光トランシーバーにサーキュレータ等を付加し、ＯＴＤＲと同等の伝送特性測定機能を持たせる。これにより、光通信システムにおける故障発生時に、光トランシーバーによる測定を可能とする。
【００１５】
図１は、本発明の実施形態による光トランシーバー１の構成を示す機能ブロック図であり、本実施形態と関係する機能ブロックのみを抽出して示してある。同図に示す光トランシーバー１は、ＤＳＰ（Digital Signal Processor）１１と、ＬＤ（Laser Diode）１２と、ＩＱＭ（IQ Modulator）１３と、サーキュレータ１４と、ＳＷ（スイッチ）１５と、ＩＣＲ（Integrated Coherent Receiver）１６とを備える。
【００１６】
光トランシーバー１は、ＤＳＰ１１の内部でトランシーバーモードとＯＴＤＲモードとを有する点が従来のＣ−ＯＴＤＲ（コヒーレントＯＴＤＲ）と異なる。光トランシーバー１は、トランシーバーモードにおいて、例えば、１００Ｇ（ギガ）や１００Ｇ超の信号伝送を行う。光トランシーバー１は、ＯＴＤＲモードにおいて、検査信号を出力し、戻り光を受けてファイバの特性を測定する。
【００１７】
ＤＳＰ１１は、モードに応じた電気信号を生成し、ＩＱＭ１３に出力する。また、ＤＳＰ１１は、ＩＣＲ１６から電気信号を入力し、モードに応じて復調処理又は測定処理を行う。測定処理では、伝送路に関する測定を行う。ＬＤ１２は、所定の波長のレーザー光、又は、可変の波長のレーザー光を発生する。光トランシーバー１に光周波数制御器を設け、ＬＤ１２が発生する光を、光周波数制御器により周波数変調することにより可変の波長のレーザー光を出力するようにしてもよい。ＩＱＭ１３は、ＬＤ１２が発生する光により、ＤＳＰ１１から入力した電気信号を変調して光変調信号を生成する。サーキュレータ１４は、３つのポートを有し、あるポートから入力された光信号を次のポートに出力する。サーキュレータ１４は、ＩＱＭ１３が出力した光信号を入力して伝送路へ出力し、伝送路からの反射光（戻り光）を入力してＳＷ１５に出力する。ＳＷ１５は、他の光通信機器から送信され、伝送路を伝送した光信号と、サーキュレータ１４が出力した反射光とのいずれを入力するかを切り替える。ＳＷ１５は入力した信号を、ＩＣＲ１６に出力する。ＩＣＲ１６は、ＬＤ１２が発生する光により、ＳＷ１５から入力した光変調信号を電気信号に変換する。伝送路は、例えば、光ファイバである。
【００１８】
本実施形態では、光通信システムにおいて故障が発生した時に、光トランシーバー１が備えるＦＰＧＡ（field-programmable gate array）等からの制御に基づきモード変更を行い、光トランシーバー１が送受信する信号を切り替える。なお、自局の光トランシーバーの送信部と対向する他局の光トランシーバーの受信部をつなぐ光ファイバに問題が生じたときにＯＴＤＲを使用することが想定される。しかし、他局の光トランシーバーの送信部と自局の光トランシーバーの受信部をつなぐ光ファイバに問題がない場合、そのパスは通信中であり、自局の受信部を使用することは出来ない。そのため、ＯＴＤＲモードを使用する場合は自局と他局をつなぐ光ファイバが同一である場合が望ましい。
【００１９】
続いて、各モードにおける光トランシーバー１の動作について説明する。まず、トランシーバーモードの動作を説明する。光トランシーバー１は、入力された制御信号に従って、ＤＳＰ１１にトランシーバーモードを設定し、ＳＷ１５に伝送路からの入力を設定する。ＤＳＰ１１は、送信データを電気信号に変換し、ＩＱＭ１３に出力する。ＩＱＭ１３は、ＤＳＰ１１から入力した電気信号を、ＬＤ１２が発生する光により光信号に変調して出力する。サーキュレータ１４は、ＩＱＭ１３から入力した光信号を伝送路へ出力し、伝送路からの反射光を入力してＳＷ１５に出力する。ＳＷ１５は、伝送路から光信号を入力し、ＩＣＲ１６に出力する。ＩＣＲ１６は、ＳＷ１５から入力した光信号を、ＬＤ１２が発生する光により電気信号に変換する。ＤＳＰ１１は、ＩＣＲ１６から入力した電気信号を、受信データに復調する。
【００２０】
次に、ＯＴＤＲモードの動作を説明する。光トランシーバー１は、入力された制御信号に従って、ＤＳＰ１１にＯＴＤＲモードを設定し、ＳＷ１５にサーキュレータ１４からの入力を設定する。ＤＳＰ１１は、電気の検査信号を生成し、ＩＱＭ１３に出力する。ＩＱＭ１３は、ＤＳＰ１１から入力した検査信号を、ＬＤ１２が発生する光により光信号に変調して出力する。サーキュレータ１４は、ＩＱＭ１３から入力した光信号を伝送路へ出力し、伝送路からの反射光を入力してＳＷ１５に出力する。ＳＷ１５は、サーキュレータ１４が出力した反射光を入力し、ＩＣＲ１６に出力する。ＩＣＲ１６は、ＳＷ１５から入力した反射光を、ＬＤ１２が発生する光により電気信号に変換する。ＤＳＰ１１は、電気信号に変換された検査信号を用いて、従来のＯＴＤＲと同様に測定項目の解析を行う。測定項目は、例えば、損失、反射、曲げなどの異常箇所判定などである。
【００２１】
図２、図３を用いて、本実施形態の光トランシーバーの他の構成を説明する。
図２は、光トランシーバー１ａの構成を示す機能ブロック図であり、本実施形態と関係する機能ブロックのみを抽出して示してある。同図において、図１に示す光トランシーバー１と同一の部分には同一の符号を付し、その説明を省略する。光トランシーバー１ａが、図１に示す光トランシーバー１と異なる点は、ＳＷ１５に代えて、ＡＴＴ（attenuator）２１、ＡＴＴ２２及びカプラ２３を備える点である。
【００２２】
トランシーバーモードにおいて、ＡＴＴ２１はサーキュレータ１４が出力した光を０に近くなるように減衰させてカプラ２３に出力し、ＡＴＴ２１は伝送路を伝送した光信号を入力し、減衰させずにカプラ２３に出力する。一方、ＯＤＴＲモードにおいて、ＡＴＴ２１はサーキュレータ１４が出力した光を減衰させずにカプラ２３に出力し、ＡＴＴ２１は伝送路から入力した光信号を０に近くなるように減衰させてカプラ２３に出力する。カプラ２３は、ＡＴＴ２１が出力した光とＡＴＴ２２が出力した光を合波して、ＩＣＲ１６に出力する。ＡＴＴ２１、２２が減衰を行うか否かの減衰制御は、外部からの制御信号に基づいて行われる。
【００２３】
図３は、光トランシーバー１ｂの構成を示す機能ブロック図であり、本実施形態と関係する機能ブロックのみを抽出して示してある。同図において、図１に示す光トランシーバー１と同一の部分には同一の符号を付し、その説明を省略する。光トランシーバー１ｂが、図１に示す光トランシーバー１と異なる点は、サーキュレータ１４及びＳＷ１５に代えて、カプラ３１、減衰器３２、減衰器３３及びカプラ３４を備える点である。減衰器３２、３３は、ＶＯＡ（可変光減衰器）でもよく、所定の波長の光を減衰させるＡＴＴでもよい。減衰器３２、３３がＶＯＡである場合、減衰器３２はトランシーバーモードで受信する光信号の波長を減衰させ、減衰器３３は、測定対象の波長を減衰させる。光トランシーバー１ｂの構成は、従来の光トランシーバーの構造と親和性がある。
【００２４】
カプラ３１は、ＩＱＭ１３から入力した信号を伝送路、減衰器３２、及び、モニタに分岐する。トランシーバーモードにおいて、減衰器３２はカプラ３１が出力した光を０に近くなるように減衰させてカプラ３４に出力し、減衰器３３は伝送路を伝送した光信号を減衰させずにカプラ３４に出力する。一方、ＯＤＴＲモードにおいて、減衰器３２はカプラ３１が出力した光を減衰させずにカプラ３４に出力し、減衰器３３は伝送路から入力した光信号を０に近くなるように減衰させてカプラ３４に出力する。カプラ３４は、減衰器３２が出力した光と減衰器３３が出力した光を合波して、ＩＣＲ１６及びモニタに出力する。減衰器３２、３３が減衰を行うか否かの減衰制御は、外部からの制御信号に基づいて行われる。減衰器３２、３３がＶＯＡである場合、減衰制御を行う対象の波長も制御信号に基づいて行われる。
【００２５】
上記のように、光トランシーバー１ａのＯＴＤＲモードと信号受信モード（トランシーバーモード）とのモード切替は、ＡＴＴ２１、２２で行い、光トランシーバー１ｂのモード切替は、減衰器３２、３３で行う。なお、ＯＴＤＲモードと信号受信モードの切り替えの頻度は、バースト的または継続的である。バースト信号の伝送の場合、光トランシーバー１、１ａ、１ｂは、バースト信号を受信する間に測定を実施する。
【００２６】
ＯＴＤＲモードにおける検査信号には、通常のＯＴＤＲと同様のパルス、または、従来のＤＳＰが生成するような既知信号系列がある。
【００２７】
図４は、パルスの検査信号を示す図である。ＤＳＰ１１は、ＤＡＣ（デジタルアナログ変換）によりパルスの検査信号を生成する。ＤＳＰ１１は、反射してくるパルスの電力を時系列で並べる。ＤＳＰ１１は、時系列の電力変化にある特異点によって、問題箇所を推定する。
【００２８】
図５は、既知信号系列の検査信号を示す図である。ＤＳＰ１１は、既知信号系列をデータ系列の一部に挿入して検査信号を生成する。ＤＳＰ１１は、反射してくる信号系列と送信した既知信号系列の相関を算出する。ＤＳＰ１１は、離散的に算出された相関値の時系列の遷移に基づいて、故障箇所を推定する。
【００２９】
ＤＳＰ１１は、以下の式（１）又は（２）により相関値Ｒｆｆ（ｔ）を算出する。ただし、ｆ（ｔ）は受信信号系列であり、ｇ（ｔ）は既知信号系列である。ｔは時間であり、τはｆ（ｔ）とｇ（ｔ）をずらした時間である。また、ｉｆｆｔは逆フーリエ変換であり、ｆｆｔはフーリエ変換であり、ｃｏｎｊは複素共役である。
【００３０】
【数１】
2019106684.tif 000003
【００３１】
【数２】
2019106684.tif 000004
【００３２】
図６及び図７は、測定品質を向上させるための検査信号の調整方法を示す図である。図６は、パルスの検査信号の場合の調整方法を示し、図７は、既知信号系列の検査信号の場合の調整方法を示す。図６に示すように、パルスの検査信号の場合、測定品質を向上させるためには、パワーを高める方法がとられる。一方、既知信号系列の検査信号の場合、図７に示すように、データ系列の一部に挿入する既知信号系列の長さを長くする。既知信号系列長を長くすることにより、Ｓ／Ｎ（signal-to-noise ratio、信号対雑音比）を向上させることができるため、パルス信号のようにハイパワーの検査信号を伝送路に出力する必要がない。従って、検査信号が使用するチャネルと隣接しているチャネルへの非線形の影響を抑えることができる。
【００３３】
光トランシーバー１、１ａ、１ｂは、例えば、ＷＤＭ（Wavelength Division Multiplex）中に、ＯＴＤＲとして配置される。ＯＴＤＲとして配置される光トランシーバーは、空いている波長を固定で測定してもよく、空いている複数の波長をローテーションして測定してもよい。複数の波長をローテーションで測定する場合、１台の光トランシーバーが波長を変えて測定してもよく、複数台の光トランシーバーそれぞれが固定の異なる波長で測定してもよい。また、空きの波長だけでなく、ＷＤＭに用いられるすべての波長を測定できるように、該当波長で伝送している信号を切り替えながらローテーションして測定してもよい。
【００３４】
図８及び図９は、本実施形態の光トランシーバーのＷＤＭへの適用例を示す図である。
図８は、１台の光トランシーバーで測定を行う場合の例を示す図である。同図に示すように、複数台の光トランシーバー１０が波長合分波器６０に接続されている。光トランシーバー１０は、光トランシーバー１、１ａ、１ｂである。トランシーバーモードの複数の光トランシーバー１０は、それぞれ異なる波長の光を送受信する。波長合分波器６０は、例えば、ＡＷＧ（arrayed waveguide grating、アレイ導波路格子）、ＷＳＳ（wavelength selective switch、波長選択スイッチ）である。波長合分波器６０は、複数の光トランシーバー１０から入力した異なる波長の光信号を合波して伝送路に出力する。また、波長合分波器６０は、伝送路から波長多重された光信号を入力し、入力した光信号を各波長の光信号に分波して複数の光トランシーバー１０それぞれに出力する。測定時には、１台の光トランシーバー１０がトランシーバーモードからＯＴＤＲモードに切り替わり動作する。なお、測定を行わない光トランシーバー１０に代えて、従来の光トランシーバーを用いてもよい。
【００３５】
同図に示す構成において、ＯＴＤＲモードの光トランシーバー１０は、空いている固定の波長を測定する。あるいは、ＯＴＤＲモードの光トランシーバー１０は、トランシーバーモードの光トランシーバー１０が使用していない空きの波長群をローテーションで変更しながら測定し、監視する。また、ＯＴＤＲモードの光トランシーバー１０は、波長をλ１、λ２、λ３、…のようにスイープするように変更しながら、トランシーバーモードの光トランシーバー１０が使用していない空きの波長群とトランシーバーモードの光トランシーバー１０が使用している波長群とを合わせた全ての波長群を１台で測定し、監視してもよい。ＯＴＤＲモードの光トランシーバー１０が測定を行っている間、トランシーバーモードの光トランシーバー１０は、その測定している波長を使用しないようにする。
【００３６】
図９は、複数台の光トランシーバーで測定を行う場合の例を示す図である。同図において、図８に示す装置と同一の部分には同一の符号を付し、その説明を省略する。同図では、複数の光トランシーバー１０が波長合分波器６０に接続されており、測定時には、複数の光トランシーバー１０がトランシーバーモードからＯＴＤＲモードに切り替わり動作する。なお、測定を行わない光トランシーバー１０に代えて、従来の光トランシーバーを用いてもよい。トランシーバーモードの複数の光トランシーバー１０は、それぞれ異なる波長の光を送受信する。同図に示す構成において、ＯＴＤＲモードの複数の光トランシーバー１０はローテーションで、空いている固定の波長をＯＴＤＲモードにより測定する。あるいは、ＯＴＤＲモードの複数の光トランシーバー１０はそれぞれ、他のＯＴＤＲモードの光トランシーバー１０とは異なる固定の空きの波長を測定してもよい。また、ＯＴＤＲモードの各光トランシーバー１０がそれぞれ波長を変更することにより、空きの波長群とトランシーバーモードの光トランシーバー１０が使用している波長群とを合わせた全ての波長群をＯＴＤＲモードの複数の光トランシーバー１０で測定し、監視してもよい。
【００３７】
上述した実施形態によれば、光送受信器は、光信号を送受信する機能と、光通信において光ファイバの特性評価を行う機能とを有する。光送受信器は、信号生成部、光源、変調部、切替部、変換部、及び、受信信号処理を備える。信号生成部は、送信データを設定した送信信号の生成と、伝送路測定用の検査信号の生成とを切り替えて行う。変調部は、信号生成部が生成した送信信号又は検査信号を、光源が発生した光により、電気信号から光信号に変調する。切替部は、伝送路を介して他の機器から受信した光信号である光受信信号と、変調された検査信号が出力された伝送路からの反射光とのいずれかを出力する。変換部は、切替部が出力した光受信信号又は反射光を、光源が発生した光により電気信号に変換する。受信処理部は、電気信号に変換された光受信信号の受信処理と、電気信号に変換された反射光を用いて伝送路に関する測定を行う測定処理とを切り替えて実行する。
【００３８】
例えば、信号生成部及び受信処理部はＤＳＰ１１であり、光源はＬＤ１２であり、送信用変調器はＩＱＭ１３であり、光送受信器はＩＣＲ１６である。このように、信号生成部、受信処理部、光源、送信用変調器は、従来のコヒーレント光送受信器が備えるＤＳＰ、ＬＤ、ＩＱＭにより実現できる。また、例えば、切替部は、サーキュレータ１４及びＳＷ１５の組合せ、サーキュレータ１４、ＡＴＴ２１、ＡＴＴ２２及びカプラ２３の組合せ、又は、カプラ３１、減衰器３２、減衰器３３及びカプラ３４の組合せにより構成される。
【００３９】
信号処理部は、通常の光伝送を行うトランシーバーモードと、ＯＴＤＲ測定を行う測定モード（実施形態のＯＴＤＲモード）の２系統の処理を行う。信号生成部、切替部及び受信処理部は、外部からの制御信号に応じて、トランシーバーモードと測定モードとの切り替えを行う。これにより、光送受信器は、通常運用時にはトランシーバーモードで動作を行い、障害発生時には、新たな装置を設置することなく、また、人手を介することなく、伝送路の特性を評価することが可能となる。
【００４０】
なお、ＷＤＭ等の光通信システムに、光信号を送受信する機能及び光通信において光ファイバの特性評価を行う機能を有する上述の光送受信器である１以上の第一の光送受信器（例えば、光トランシーバー１０）と、光信号の送受信を行う光送受信器である１以上の第二の光送受信器（例えば、光トランシーバー１０又は従来の光トランシーバー）と、合分波器とを備えてもよい。合分波器は、第一の光送受信器及び第二の光送受信器のそれぞれから出力された波長の異なる光信号を合波した波長多重信号を出力する。また、合分波器は、波長多重された光信号を受信し、受信した光信号を分波して第一の光送受信器及び第二の光送受信器に出力する。
【００４１】
以上、この発明の実施形態について図面を参照して詳述してきたが、具体的な構成はこの実施形態に限られるものではなく、この発明の要旨を逸脱しない範囲の設計等も含まれる。
【産業上の利用可能性】
【００４２】
光通信システムに利用可能である。
【符号の説明】
【００４３】
１…光トランシーバー，  １０…光トランシーバー，  １１…ＤＳＰ，  １２…ＬＤ，  １３…ＩＱＭ，  １４…サーキュレータ，  １５…ＳＷ，  １６…ＩＣＲ，  ２１…ＡＴＴ，  ２２…ＡＴＴ，  ２３…カプラ，  ３１…カプラ，  ３２…減衰器，  ３３…減衰器，  ３４…カプラ，  ６０…波長合分波器
【図１】
2019106684.tif 000005
【図２】
2019106684.tif 000006
【図３】
2019106684.tif 000007
【図４】
2019106684.tif 000008
【図５】
2019106684.tif 000009
【図６】
2019106684.tif 000010
【図７】
2019106684.tif 000011
【図８】
2019106684.tif 000012
【図９】
2019106684.tif 000013